(57)【要約】  【課題】光源によらず常に良好な色再現補正ができる映像信号処理装置を提供する。  【解決手段】ホワイトバランス調整部５は、映像信号のホワイトバランスを調整する。色再現補正部８は、映像信号に対して、色再現補正特性に従って色再現補正を行う。光源特性推定部６は、ホワイトバランス調整における調整状態に応じて、光源種類や色温度といった光源特性を推定する。色再現補正特性制御部７は、光源特性推定部６の推定結果に応じて、色再現補正部８における色再現補正特性を可変制御する。ホワイトバランスの状態から推定した光源にあった色再現補正を行うことができる。【選択図】図１
2009239323.tif 000002
【特許請求の範囲】
【請求項１】
映像信号のホワイトバランスを調整するホワイトバランス調整手段と、
前記映像信号に対して、色再現補正特性に従って色再現補正を行う色再現補正手段と、
前記ホワイトバランス調整における調整状態に応じて光源特性を推定する光源特性推定手段と、
前記光源特性推定手段の推定結果に応じて、前記色再現補正手段における色再現補正特性を可変制御する色再現補正特性制御手段と、
を有することを特徴とする映像信号処理装置。
【請求項２】
前記光源特性推定手段は、前記光源特性として光源の種類および光源の色温度の少なくとも一方を推定することを特徴とする請求項１記載の映像信号処理装置。
【請求項３】
前記光源特性推定手段は、前記ホワイトバランス調整における前記調整状態と、前記映像信号が得られたときの露光状態とに基づいて前記光源特性を推定することを特徴とする請求項１または２に記載の映像信号処理装置。
【請求項４】
異なる光源特性にそれぞれ対応する複数の色再現補正特性を記憶する色再現補正特性記憶手段を有し、
前記色再現補正特性制御手段は、前記色再現補正特性記憶手段に記憶された複数の色再現補正特性の中から、前記光源特性推定手段により推定された光源特性に対応する色再現補正特性を選択することを特徴とする請求項１ないし３のいずれかに記載の映像信号処理装置。
【請求項５】
前記色再現補正特性を受信する通信手段を有することを特徴とする請求項１ないし４のいずれかに記載の映像信号処理装置。
【請求項６】
前記通信手段は、設置場所あるいは受信場所に応じた色再現補正特性を受信することを特徴とする請求項５に記載の映像信号処理装置。
【請求項７】
前記通信手段は、複数の映像信号処理装置の色再現補正特性を集中的に管理する集中管理手段から色再現補正特性を受信することを特徴とする請求項５または６に記載の映像信号処理装置。
【請求項８】
映像信号のホワイトバランスを調整し、
前記ホワイトバランス調整における調整状態に応じて光源特性を推定し、
前記光源特性の推定結果に応じて、色再現補正における色再現補正特性を可変制御し、
可変制御された色再現補正特性に従って、前記映像信号に対して色再現補正を行うことを特徴とする映像信号処理方法。
【請求項９】
映像信号のホワイトバランスを調整し、
前記ホワイトバランス調整における調整状態に応じて光源特性を推定し、
前記光源特性の推定結果に応じて、色再現補正における色再現補正特性を可変制御し、
可変制御された色再現補正特性に従って、前記映像信号に対して色再現補正を行う処理をコンピュータに実行させることを特徴とする映像信号処理プログラム。
【発明の詳細な説明】
【技術分野】
【０００１】
本発明は、映像信号に対して色再現補正を行う映像信号処理装置に関する。
【背景技術】
【０００２】
従来、映像信号に対して色再現補正を行う映像信号処理装置が提案されている。従来の映像信号処理装置は、下記のように、ホワイトバランス調整を行った後の映像信号に対して、色再現補正特性に従って色を変換する色再現補正を行う。色再現補正は、典型的には映像信号の色を元の被写体の色に近づけるために行われる。
【０００３】
図５は、従来の映像信号処理装置の構成例を示している。図５において、従来の映像信号処理装置は、レンズ１０１、絞り１０２、CCD等でなる撮像素子１０３、入力映像信号をR,G,B信号に分離する色分離回路１０４、色分離後の映像信号に対してホワイトバランス調整を行うホワイトバランス調整部１０５、および、ホワイトバランス調整後の映像信号に対して色再現補正を行う色再現補正部１０６を備えている。
【０００４】
図５において、レンズ１０１、絞り１０２を透過した光は撮像素子１０３上に結像する。撮像素子１０３の各画素には色フィルタが付けられており、色信号が多重された信号が素子出力として得られる。この信号を色分離回路１０４で色分離することにより、R,G,Bの信号が得られる。
【０００５】
ホワイトバランス調整部１０５では、例えば、WB（ホワイトバランス）センサにより色温度に応じてB/G,R/G信号が出力される。そして、R,Bの信号の利得が、WBセンサからのB/G,R/Gにより制御され、白色撮像時のR,G,Bが互いに等しい信号レベルとされる。ホワイトバランス調整後のRGB信号は色再現補正部１０６に入力され、補正特性データに従って信号が変換され、これにより色再現補正が行われる。そして、色再現補正後の信号R′G′B′が後段のプロセスへと出力される。
【０００６】
図６は色再現補正部１０６を実現する回路構成の例を示す。図示のように、R,G,B入力信号は加算され、Ｗ信号となる。W,R,Bの各信号はA/D変換後、割算器で割算されてR/W,B/Wの色度信号になる。ルックアップテーブル（LUT）は色再現補正特性のテーブルである。例えば、肌色を少し赤くしたい場合は、肌色に近い色度点データ（R/W,B/W）のR/W（出力値）がLUT上で少し大きい値に設定される。LUTはRAMで構成されていて、ディジタル値R/W,B/Wはアドレスラインに接続されている。R/W,B/Wで指定されたアドレスのRAMデータが読み出され、これによりR/W,B/Wが(R/W)′,(B/W)′に補正される。(R/W)′,(B/W)′信号は、W信号と掛算されて逆変換され、G′,R′,B′信号になる。
【０００７】
また、従来の映像信号処理装置は、肌の色をユーザの希望に合わせるために、色再現補正特性を切り替えることを提案している。映像信号処理装置には、複数種類の肌の色（例えば、日焼け、色白）にそれぞれ対応する複数種類の補正特性データが用意されている。ユーザにより選択機構が操作されて肌の色の種類が選択されると、選択された肌の色の種類に対応する補正特性に従って色再現補正のルックアップテーブルが書き換えられる。こうして、日焼け、色白などといった肌の色の違いをユーザの好みに合わせて再現できる（例えば、特許文献１参照）。
【特許文献１】特開平４−１５０６９０号公報
【発明の開示】
【発明が解決しようとする課題】
【０００８】
しかしながら、従来の映像信号処理装置においては下記のような問題がある。
【０００９】
従来の映像信号処理装置は、ホワイトバランス調整された信号に対して、色再現補正を行うように構成されている。ところで、光源には蛍光灯や白熱灯、太陽光があり、さらに太陽光には時刻や天候により異なる状態が多数存在し、そして、これらの光源では分光特性が異なる。したがって、RGBの比率B/GやR/Gによる利得制御を行うホワイトバランス調整では、無彩色は調整できても、有彩色の色再現を様々な光源において同等にすることは困難である。
【００１０】
このように、従来技術では、光源によってホワイトバランス調整（色再現補正前）の有彩色の色再現が異なる。それにも拘わらず、従来の色再現補正は、光源の違いに関係なく一律に同じ色再現補正特性を使用して行われる。例えば、上述の従来文献の映像信号処理装置は、ユーザの選択操作に従って肌の色の種類によって色再現補正特性を切り替えているが、上述のような光源の相違は考慮していない。そのため、例えば、蛍光灯で撮像した映像信号を前提として肌色をより赤くするような色再現補正特性データを作成したとすると、白熱灯や太陽光その他の照明下では所望の色再現補正の効果が得られない場合がある。このように、従来は、光源の違いにより有彩色の色再現の異なった信号に対しては所望の色再現補正が行えないという問題があった。
【００１１】
本発明は、従来の問題を解決するためになされたもので、その目的は、光源によらず所望の色再現補正のできる映像信号処理装置を提供することにある。
【課題を解決するための手段】
【００１２】
本発明の映像信号処理装置は、映像信号のホワイトバランスを調整するホワイトバランス調整手段と、前記映像信号に対して、色再現補正特性に従って色再現補正を行う色再現補正手段と、前記ホワイトバランス調整における調整状態に応じて光源特性を推定する光源特性推定手段と、前記光源特性推定手段の推定結果に応じて、前記色再現補正手段における色再現補正特性を可変制御する色再現補正特性制御手段とを有する。
【００１３】
この構成により、ホワイトバランスの調整状態に応じて推定された光源特性に応じて色再現補正特性を可変制御するので、光源によらず良好な色再現補正を行うことができる。
【００１４】
本発明の映像信号処理装置において、前記光源特性推定手段は、前記光源特性として光源の種類および光源の色温度の少なくとも一方を推定する。この構成により、光源の種類および光源の色温度の少なくとも一方に応じて色再現補正特性が制御される。したがって、光源によらず良好な色再現補正を行うことができる。
【００１５】
また、本発明の映像信号処理装置において、前記光源特性推定手段は、前記ホワイトバランス調整における前記調整状態と、前記映像信号が得られたときの露光状態とに基づいて前記光源特性を推定する。この構成により、ホワイトバランスの調整状態に加えて露光状態に応じて光源特性を推定するので、光源特性の推定精度を向上し、より良好な色再現補正を行うことができる。
【００１６】
また、本発明の映像信号処理装置は、異なる光源特性にそれぞれ対応する複数の色再現補正特性を記憶する色再現補正特性記憶手段を有し、前記色再現補正特性制御手段は、前記色再現補正特性記憶手段に記憶された複数の色再現補正特性の中から、前記光源特性推定手段により推定された光源特性に対応する色再現補正特性を選択する。この構成により、予め用意された複数の色再現補正特性から、推定された光源特性に対応する色再現特性を選択するので、光源によらず良好な色再現補正を行うことができる。
【００１７】
また、本発明の映像信号処理装置は、前記色再現補正特性を受信する通信手段を有する。この構成により、色再現補正特性を適当な状態に保つことができるので、良好な色再現補正を行うことができる。
【００１８】
また、本発明の映像信号処理装置において、前記通信手段は、設置場所あるいは受信場所に応じた色再現補正特性を受信する。この構成により、映像信号処理装置が設置される場所や使用される場所に応じて色再現補正特性を制御して、良好な色再現補正を行うことができる。
【００１９】
また、本発明の映像信号処理装置において、前記通信手段は、複数の映像信号処理装置の色再現補正特性を集中的に管理する集中管理手段から色再現補正特性を受信する。この構成により、色再現補正特性を集中管理することで、複数台の映像信号処理装置の色再現補正特性を容易に適切に設定でき、良好な色再現補正が行えることとなる。
【００２０】
また、本発明の別の態様は映像信号処理方法であり、映像信号のホワイトバランスを調整し、前記ホワイトバランス調整における調整状態に応じて光源特性を推定し、前記光源特性の推定結果に応じて、色再現補正における色再現補正特性を可変制御し、可変制御された色再現補正特性に従って、前記映像信号に対して色再現補正を行う。この態様によっても上述した本発明の利点が得られる。
【００２１】
また、本発明の別の態様は映像信号処理プログラムであり、映像信号のホワイトバランスを調整し、前記ホワイトバランス調整における調整状態に応じて光源特性を推定し、前記光源特性の推定結果に応じて、色再現補正における色再現補正特性を可変制御し、可変制御された色再現補正特性に従って、前記映像信号に対して色再現補正を行う処理をコンピュータに実行させる。コンピュータは映像信号処理装置に演算装置でもよい。この態様によっても上述した本発明の利点が得られる。
【発明の効果】
【００２２】
本発明は、ホワイトバランスの調整状態に応じて推定された光源特性に応じて色再現補正特性を可変制御するので、光源によらず良好な色再現補正が行えるという効果を有する映像信号処理装置を提供することができる。
【発明を実施するための最良の形態】
【００２３】
以下、本発明の実施の形態の映像信号処理装置について、図面を用いて説明する。
【００２４】
本発明の第１の実施の形態の映像信号処理装置を図１に示す。図１の映像信号処理装置１は、例えば、デジタルカメラ等の撮像装置に備えられる。映像信号は、図１の構成による処理を経て、さらに後段の処理を受け、例えば、記録媒体に記録され、また例えばディスプレイに表示され、また例えばネットワーク等を介して外部に出力されることになる。
【００２５】
図１において、本実施の形態の映像信号処理装置は、被写体を写像するレンズ1と、光量を調節する絞り２と、露光時間を調節できる撮像素子３と、撮像素子３から出力される映像信号をRGBの３原色に分離する色分離部４と、色分離された信号に対してホワイトバランス調整するホワイトバランス調整部５と、ホワイトバランス調整部５で求めたホワイトバランスの調整状態に応じて光源特性を推定する光源特性推定部６と、光源特性推定部６の推定情報に基づいて色再現補正特性を可変制御する色再現補正特性制御部７と、色再現補正特性制御部７により制御された色再現補正特性に従って色再現補正を行う色再現補正部８と、絞り２や撮像素子３の露光時間を制御する露光制御部９とを有する。
【００２６】
上記構成のうち、光源特性推定部５は、光源特性として、光源の種類および色温度の少なくとも一方を推定する。
【００２７】
また、色再現補正特性制御部７は、色再現補正記憶部１０に記憶されたデータを用いて色再現補正特性を制御する。色再現補正記憶部１０は、異なる光源特性にそれぞれ対応する複数の色再現補正特性を記憶している。色再現補正特性制御部７は、色再現補正特性記憶部１０に記憶された複数の色再現補正特性の中から、光源特性推定部６により推定された光源特性に対応する色再現補正特性を選択することで、色再現補正特性を可変制御するように構成されている。光源特性推定部６および色再現補正特性制御部７はマイクロコンピュータで構成されてよい。その他の構成も、適宜、コンピュータとそこで実行されるプログラムによって実現されてよい。
【００２８】
以上のように構成された映像信号処理装置について、その動作を説明する。
【００２９】
まず、レンズ１で集光された光は、絞り２により光量調整され、撮像素子３により光電変換され、これにより撮像素子３から映像信号が出力される。このとき、露光制御部９により、明るいところが飽和しない適正な輝度レベルとなるように絞り２と撮像素子3の露光時間が制御される。
【００３０】
次に、色分離部４において、撮像素子３から出力された信号をRGB３原色の信号に分離する。この際、撮像素子３の色配列に応じて補間演算処理が行われる。このようにして得られたRGB信号は、光源の分光特性により無彩色が着色しているため、ホワイトバランス調整部５によりホワイトバランスを調整する。
【００３１】
なお、本実施の形態の変形例として、映像信号をRGBに分離せずに、輝度と色差信号に分離してもよい。これらの信号を用いる場合にも本発明を適用可能である。ただし、輝度と色差信号を処理するように、以降の構成も変形される。
【００３２】
次に、ホワイトバランス調整部５は、RGB信号をそれぞれ一画面分積算して平均値Rave,Gave,Baveを算出し、G信号に対する比Rave/Gave, Bave/Gaveを求め、この逆数をR信号とB信号に乗じることで、ホワイトバランス調整を行う。すなわち、ホワイトバランス調整部５の出力R',G',B'は、以下の式で表される。
R' =（Gave/Rave）×R
G' =  G
B' =（Gave/Bave）×B
【００３３】
なお、ホワイトバランス調整部５は、画面を分割して領域ごとに信号を積算したり、被写体の無彩色部分だけを選択して信号を積算するように変更することも可能である。また、従来技術で説明されたように、外部のホワイトバランスセンサを使うことも可能である。
【００３４】
次に、光源特性推定部６の処理について説明する。光源特性は光源の分光特性であり、以下に説明されるように、色温度や光源種類が光源特性の情報として利用できる。
【００３５】
上述したように、ホワイトバランス調整部５では、G信号に対する比Rave/Gave, Bave/Gaveを算出し、ホワイトバランス調整を行っている。ところで、被写体が無彩色であったと仮定すると、Rave/GaveとBave/Gaveは、光源の分光特性の特徴を示すことになる。一般的にいろいろな色が混在した画像では画面全体を積分すると無彩色に近くなる傾向があるため、いろいろな色が混在している画像では、Rave/GaveとBave/Gaveから光源の種類や色温度を推定することができる。
【００３６】
図２に、Rave/Gave、Bave/Gaveと光源の種類および色温度の関係を示した。Rave/Gaveが大きいほど色温度が低く、Bave/Gaveが大きいほど色温度が高い傾向にある。ローソクや白熱灯は色温度が低く、太陽光や蛍光灯は色温度が高い傾向にある。また、太陽光は時刻や天候により色温度が異なるため、図２では太陽光１、太陽光２、太陽光３に分類されている。また、蛍光灯は様々な種類があり、図２では、蛍光灯Aおよび蛍光灯Bに分類されている。なお、これらの分類はさらに細かくしてもよい。
【００３７】
図２のマップが予め映像信号処理装置に記憶されている。このマップは光源特性推定マップと呼ぶことができる。光源特性推定部６は、光源特性推定マップを参照して、ホワイトバランスの調整状態Rave/Gave、Bave/Gaveから、光源の種類および光源の色温度を推定することができる。
【００３８】
以下の説明では、例として、光源特性推定部６が光源特性として光源の種類を推定する。色温度を推定する場合の処理については後述する。
【００３９】
また、光源特性推定部６は、上記のホワイトバランス調整状態に加えて、露光状態も利用する。露光状態は、露光制御部９から出力される露光量の情報であり、絞り量と露光時間から決まる。露光状態から、被写体の周囲の照度がおおよそ分かるため、光源が屋外の太陽光か室内の照明かの推定を行うことができる。
【００４０】
そこで、光源特性推定部６は、露光量とホワイトバランス調整状態とからの推定を組み合わせることで、さらに精度の高い光源特性推定を行う。例えば、露光量から光源が太陽光であるか照明であるかが推定される。さらに、光源が太陽光１、２、３のいずれであるかが、図２のマップを参照して、ホワイトバランス調整状態から推定される。また、図２のマップを参照して、照明の種類がホワイトバランス調整状態から推定される。
【００４１】
次に、色再現補正特性制御部７では、光源特性推定部６の推定結果に基づいて色再現補正特性を制御する。色再現補正特性制御部７は、設定選択処理を行う構成であり、光源特性推定部６で推定された光源の種類に基づいて、あらかじめ設定された複数の色再現補正特性の中から光源の種類に適合する色再現補正特性を選択する。
【００４２】
ここで、選択されるべき複数の色再現補正特性は、色再現補正特性記憶部１０に記憶されている。各々の色再現補正特性は、対応する光源条件の下で撮影された映像信号から生成されてよい。この場合、実際に撮影された映像に色再現補正が施され、色再現補正結果が良好になる色再現補正特性が求められ、その色再現補正特性が対応する光源と関連づけて色再現補正特性記憶部１０に格納される。
【００４３】
なお、複数の光源の中間的な推定値が得られた場合には、色再現補正特性制御部７は、複数の光源にそれぞれ対応する複数の色再現補正特性を選択する（色再現補正特性記憶部１０から取得する）。そして、色再現補正特性制御部７は、それら複数の色再現補正特性を混合あるいは補間して、中間的な色再現補正特性を生成する。これにより、なめらかな補正特性が得られる。また、中間的な色再現補正特性を生成することで、あらかじめ設定しておく色再現補正特性の光源の種類の数を削減することもできる。
【００４４】
色再現補正部８は、以下に説明するように、色再現補正特性制御部７によって選択された色再現補正特性に従って色再現補正を行う。
【００４５】
色再現補正部８は、RGB毎のルックアップテーブルを用いて色変換を行う構成である。色再現補正部８は、ルックアップテーブルを参照して、入力されるR',G',B'の組み合わせに対して、RoとGoとBoを出力する。すなわち、RGBのルックアップテーブルをそれぞれ、LUTr、LUTg, LUTbとすると、色再現補正部８の出力Ro、Go、Boは、以下のように表すことができる。
Ro = LUTr( R',G',B' ）
Go = LUTg( R',G',B' ）
Bo = LUTb( R',G',B' ）
【００４６】
色再現補正部８は、色補正特性制御部７で決定された色再現補正特性をルックアップテーブルLUTr,LUTg,LUTbに反映させるように構成されている。これにより、光源に応じた色再現補正を行うことができる。
【００４７】
以上に映像信号処理装置の一連の動作を説明した。
【００４８】
なお、色再現補正特性データについては、幾つかの形式が考えられる。色再現補正特性は、ルックアップテーブルに保持されるデータであってもよい。また、基準のルックアップテーブルが色再現補正部８等に用意されており、色再現補正特性は基準のルックアップテーブルを光源の種類に応じて調整する調整内容のデータであってもよい。
【００４９】
また、LUTr,LUTg,LUTbは、RGBの全組み合わせの変換データを記憶せずに、間引いた一部のRGBの組み合わせの変換データを記憶していてもよく、この場合には補間が行われる。
【００５０】
また、本実施の形態の変形例として、ルックアップテーブルを用いずに、折れ線近似などの関数で同様の処理が実現されてもよい。その他、色再現補正部には、上述した従来文献に示された構成が適用されてもよい。
【００５１】
また、これまでの説明では、光源の種類が光源特性として推定され、光源の種類に対応する色再現補正特性が選択された。しかし、光源特性として光源の色温度が推定されてもよい。色温度も図２のマップを参照して推定される。また、色温度の推定でも、露光量の情報が利用されてよい。色再現補正特性記憶部１０は、異なる色温度にそれぞれ対応する複数の色再現補正特性を記憶している。色再現補正特性制御部７は、推定された色温度に対応する色再現補正特性を選択して、選択した色再現補正特性に従って色再現補正部８を動作させる。
【００５２】
さらにまた、光源特性として光源の種類と光源の色温度の両方が推定されてよい。この場合には、推定結果の光源種類と光源色温度の組み合わせに対応する色再現補正特性が、複数の色再現補正特性から選択されることになる。
【００５３】
また、本実施の形態では、光源特性の推定結果に応じて自動的に色再現補正特性が制御され、設定される。さらに、ユーザによるスイッチ等の操作部材の手動操作に応じて色再現補正特性が選択され、これにより手動で色再現補正特性が設定されてもよい。
【００５４】
また、本実施の形態の映像信号処理は回路構成によって実現されてもよく、プログラムを演算装置で実行することにより実現されてもよい。プログラムは、光源特性の推定と色再現補正特性の制御を行うものでもよい。そして、このようなプログラムも本発明の一態様である。また、上述にて映像信号処理の動作として説明された方法も本発明の一態様である。
【００５５】
以上に本発明の第１の実施の形態に係る映像信号処理装置について説明した。本実施の形態によれば、ホワイトバランスの調整状態に応じて光源特性が推定され、推定された光源特性に応じて色再現補正特性が可変制御される。これにより、光源によらず良好な色再現補正を行うことができる。
【００５６】
また、本実施の形態によれば、光源特性として光源の種類および光源の色温度の少なくとも一方が推定される。光源特性が適切に推定され、これにより、光源によらず良好な色再現補正を行うことができる。
【００５７】
また、本実施の形態によれば、ホワイトバランス調整における調整状態と、映像信号が得られたときの露光状態とに基づいて光源特性が推定される。ホワイトバランスの調整状態に加えて露光状態に応じて光源特性を推定するので、光源特性の推定精度を向上し、より良好な色再現補正を行うことができる。
【００５８】
また、本実施の形態によれば、異なる光源特性にそれぞれ対応する複数の色再現補正特性が記憶されている。そして、記憶された複数の色再現補正特性の中から、推定された光源特性に対応する色再現補正特性が選択される。予め用意された複数の色再現補正特性から光源推定結果に対応する適切な色再現特性を選択するので、光源によらず良好な色再現補正を行うことができる。
【００５９】
次に、本発明の第２の実施の形態の映像信号処理装置を図３に示す。
【００６０】
図３に示す映像信号処理装置は、第１の実施の形態に係る映像信号処理装置に通信部１１を追加した構成を有しており、通信部１１はサーバー装置１２と通信可能に接続される。通信部１１は通信ネットワークを介してサーバ装置１２と接続されてよい。通信は有線でも無線でも実施可能である。その他の構成は第１の実施の形態と同様であり、説明を省略する。
【００６１】
図３において、通信部１１は、映像信号処理装置の設置場所あるいは受信場所、時刻、その他映像信号処理装置の状態に応じた適切な色再現補正特性をサーバー装置１２から通信により取得する。設置場所等の場所情報は、例えば、通信に必要なアドレス情報から取得できる。また、場所の情報は、通信している基地局情報から取得することができる。また、時刻の情報は、映像信号処理装置またはサーバ装置１２に内蔵された時計から取得することができる。これらの情報は、映像信号処理装置自体で検出することもできるし、サーバー装置１２で検出することもできる。そして、これらの情報に基づき、場所および時刻に応じた色再現補正特性がサーバ装置１２から取得される。
【００６２】
本実施の形態が好適に適用される例を説明する。例えば、ビルなどに複数の映像信号処理装置が設置されたとする。この場合、各部屋毎に、そして、時刻によって、照明や外光の状態が異なる。本実施の形態によれば、このような条件の違いが考慮されて、場所や時刻の条件に適した色再現補正特性を映像信号処理装置が利用できる。
【００６３】
また、新たな光源を用いた照明装置が発売されたとする。この場合には、新たな光源に対応する色再現補正特性がサーバ装置１２から通信部１１を介して色再現補正特性制御部７に提供される。色再現補正特性記憶部１０の記憶データが更新されて、新しい色再現補正特性が追加される。また、光源特性推定部６にも新しい光源の情報が提供され、新しい光源の推定が行われる。ここでは、図２のマップが更新されて、新しい光源のデータが追加されてよい。
【００６４】
以上に、本発明の第２の実施の形態に係る映像信号処理装置について説明した。本実施の形態によれば、色再現補正特性が通信で映像信号処理装置に受信される。これにより、色再現補正特性を適当な状態に保つことができるので、良好な色再現補正を行うことができる。通信を利用することで、良好な色再現補正を行える最新の状態に色再現補正特性を保つことが可能である。
【００６５】
また、本実施の形態によれば、設置場所あるいは受信場所に応じた色再現補正特性が受信され、これにより、映像信号処理装置が設置される場所や使用される場所に応じて色再現補正特性を制御して、良好な色再現補正を行うことができる。さらに、本実施の形態によれば、色再現補正特性を更新することで新たな光源に対応することもできる。
【００６６】
次に、本発明の第３の実施の形態に係る映像信号処理装置を図４に示す。
【００６７】
図４に示す映像信号処理装置では、通信部１１が集中管理部１３と通信する。その他の構成は第２の実施の形態と同様であり、説明を省略する。
【００６８】
集中管理部３は、コンピュータで構成されており、複数の映像信号処理装置を集中管理する装置であり、それら複数の映像信号処理装置で使用される色再現補正特性も管理する。集中管理部３は、サーバコンピュータで構成されてよい。
【００６９】
通信部１１は、上述の実施の形態と同様に、映像信号処理装置の設置場所あるいは受信場所、時刻、その他映像信号処理装置の状態に応じた適切な色再現補正特性を集中管理部１３から通信により取得するが、それだけでなく、本実施の形態では、通信部１１が、集中管理部１３からの指示により色再現補正特性を受信する。集中管理部１３は、複数の映像信号処理装置に対して同時に色再現補正特性を送信できる。これにより、複数の映像信号処理装置の色再現補正特性を一括で容易に変更することができる。例えば、ビルなどに新しく監視システムが設置されたとき、複数の監視カメラにそれぞれ備えられた映像信号処理装置の色再現補正特性の設定を一括して行える。また、監視カメラを移動したり、追加したときも、管理下の複数の映像信号処理装置における色再現補正特性の設定を集中管理部１３から容易に行える。
【００７０】
以上に、本発明の第３の実施の形態に係る映像信号処理装置について説明した。本実施の形態によれば、複数の映像信号処理装置の色再現補正特性を集中的に管理する集中管理手段から色再現補正特性が受信される。これにより、色再現補正特性を集中管理することで、複数台の映像信号処理装置の色再現補正特性を容易に適切に設定でき、良好な色再現補正が行えることとなる。
【００７１】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７２】
以上のように、本発明にかかる映像信号処理装置は、光源によらず常に良好な色再現補正が行えるという効果を有し、色再現補正を行う映像信号処理装置等として有用である。
【図面の簡単な説明】
【００７３】
【図１】本発明の第１の実施の形態における映像信号処理装置のブロック図
【図２】本発明の第１の実施の形態におけるホワイトバランス調整の状態と光源の種類との関係を示した図
【図３】本発明の第２の実施の形態における映像信号処理装置のブロック図
【図４】本発明の第３の実施の形態における映像信号処理装置のブロック図
【図５】従来の映像信号処理装置のブロック図
【図６】従来の映像信号処理装置の色再現補正回路を示す図
【符号の説明】
【００７４】
１  レンズ
２  絞り
３  撮像素子
４  色分離部
５  ホワイトバランス調整部
６  光源特性推定部
７  色再現補正特性制御部
８  色再現補正部
９  露光制御部
１０  色再現補正特性記憶部
１１  通信部
１２  サーバー装置
１３  集中管理部
【図１】
2009239323.tif 000003
【図２】
2009239323.tif 000004
【図３】
2009239323.tif 000005
【図４】
2009239323.tif 000006
【図５】
2009239323.tif 000007
【図６】
2009239323.tif 000008